(57)【要約】  本発明は、波長の選択のための装置であって、複数の波長を提供する波長源と、波長源からの所望の波長の選択を可能にする波長選択器と、選択された波長を後に使用するために検出する波長検出器とを備える、波長の選択のための装置に関する。
2009505152.tif 000002
【特許請求の範囲】
【請求項１】
波長の選択のための装置であって、
複数の波長を提供する波長源と、
前記波長源からの所望の波長の選択を可能にする波長選択器と、
選択された波長を後に使用するために検出する波長検出器と
を備える、波長の選択のための装置。
【請求項２】
前記波長源は、各々が単一の波長を放出するように構成される複数のレーザダイオードをさらに備える波長源ディスクである、請求項１に記載の波長の選択のための装置。
【請求項３】
前記レーザダイオードは前記波長源ディスクの周縁に沿って位置決めされる、請求項２に記載の波長の選択のための装置。
【請求項４】
前記波長源ディスクは回転可能である、請求項１〜３のうちのいずれか一項のみに記載の波長の選択のための装置。
【請求項５】
前記波長選択器は、開口をさらに備える選択ディスクであり、
前記開口は、前記レーザダイオードからの波長が前記開口を通過することを可能にするようなサイズにされると共に、そのように位置決めされる
請求項１〜４のいずれか一項に記載の波長の選択のための装置。
【請求項６】
前記選択ディスクは回転可能である、請求項１〜５のいずれか一項に記載の波長の選択のための装置。
【請求項７】
前記波長検出器は検出ディスクであり、
前記検出ディスクは、少なくとも１つの波長検出器を有し、
前記波長検出器は、前記ディスクの周縁に沿っており、前記波長源の選択された波長を検出するように位置決めされる
請求項１〜６のいずれか一項に記載の波長の選択のための装置。
【請求項８】
前記波長検出器は少なくとも１つの光ファイバヘッドである、請求項１〜７のいずれか一項に記載の波長の選択のための装置。
【請求項９】
第１の動作モードにおいて、
前記レーザダイオードのそれぞれは対応する光ファイバヘッドと位置合わせされ、
選択された波長を放出する前記レーザダイオードと同軸上に前記開口が位置合わせされるように、前記選択ディスクを回転させることによって、１つの波長が選択され、
それによって、前記選択された波長が前記対応する光ファイバヘッドによる検出のために前記開口を通過することが可能となる
請求項１〜８のいずれか一項に記載の波長の選択のための装置。
【請求項１０】
第２の動作モードにおいて、
前記選択ディスクの前記開口は１つの光ファイバヘッドと位置合わせされ、
選択された波長を放出する前記レーザダイオードが前記開口と同軸上に位置合わせされるように、前記波長源ディスクを回転させることによって、１つの波長が選択され、
それによって、前記選択された波長が対応する前記光ファイバヘッドによる検出のために前記開口を通過することが可能となる、請求項１〜８のいずれか一項に記載の波長の選択のための装置。
【請求項１１】
前記選択ディスクは回転軸上に取り付けられる、請求項９に記載の波長の選択のための装置。
【請求項１２】
前記選択ディスクは前記軸を中心として手動で回転されて、１つの波長が選択される、請求項９又は１１に記載の波長の選択のための装置。
【請求項１３】
前記回転軸は、波長が選択されると前記選択ディスクの回転された位置を維持するバイアス手段を備える、請求項９、１１又は１２のいずれか一項に記載の波長の選択のための装置。
【請求項１４】
前記回転は自動化されている、請求項９又は１１に記載の波長の選択のための装置。
【請求項１５】
前記選択器はステッパモータに結合され、
前記ステッパモータは、前記選択ディスクを波長の選択に関連する角度まで回転させるようにプログラムされる
請求項９、１１又は１４のいずれか一項に記載の波長の選択のための装置。
【請求項１６】
前記モータは、次の角度まで回転させる前に所定の時間期間にわたって前記回転を中断させるためのタイマをさらに備える、請求項９、１１、１４又は１５のいずれか一項に記載の波長の選択のための装置。
【請求項１７】
前記波長源ディスクは回転軸上に取り付けられる、請求項１０に記載の波長の選択のための装置。
【請求項１８】
前記波長源ディスクは前記軸の周りに手動で回転されて、１つの波長が選択される、請求項１０又は１７に記載の波長の選択のための装置。
【請求項１９】
前記回転軸は、波長が選択されると前記波長源ディスクの回転された位置を維持するバイアス手段を備える、請求項１０、１７又は１８のいずれか一項に記載の波長の選択のための装置。
【請求項２０】
前記回転は自動化されている、請求項１０又は１７に記載の波長の選択のための装置。
【請求項２１】
前記波長源ディスクはステッパモータに結合され、前記ステッパモータは、前記波長源ディスクを波長の選択に関連する角度まで回転させるようにプログラムされる、請求項１０、１７及び２０のいずれか一項に記載の波長の選択のための装置。
【請求項２２】
前記モータは、次の角度まで回転させる前に所定の時間期間にわたって前記回転を中断させるためのタイマをさらに備える、請求項１０、１７、２０又は２１のいずれか一項に記載の波長の選択のための装置。
【請求項２３】
前記光ファイバヘッドは患者の診断領域に向けられ、その後、信号処理のために光ダイオードに向けられる、請求項１〜２２のいずれか一項に記載の波長の選択のための装置。
【発明の詳細な説明】
【技術分野】
【０００１】
本発明は、多波長源から選択される波長を提供するための装置に関する。
【０００２】
［発明の背景］
血糖を定量化するための光吸収技法においては、近赤外（ＮＩＲ）スペクトル領域が、非常に適した範囲であると証明されている。これは、この範囲内では、水の吸収スペクトルが比較的最小化され、ピーク血糖値を容易に特定することができるためである。
【０００３】
この範囲内では、有用なグルコース吸収波長は、たとえば１２００ｎｍ、１２９０ｎｍ、１５７０ｎｍ、１６５０ｎｍ、２２７０ｎｍ、２３１０ｎｍ等において特定されている。これらの最適値では、グルコースモニタリングを非常に正確な結果をもたらすように実施することができる。
【０００４】
血糖モニタリングのための光吸収技法によって、これらの波長を順に得ると共に維持することが望ましく、それによって、これらの波長を、患者の血糖をモニタリングする目的で使用することができる。
【０００５】
現在、この目的のためにＮＩＲスペクトル領域を生成するために、音響光学チューナブルフィルタ（ＡＯＴＦ）が使用されている。ＡＯＴＦ設備は、費用がかかり且つかさばるだけでなく、波長の選択のために音響光学素子を使用することは、温度に非常に左右される。これは、温度変化が音速の変化をもたらし、これが生成される波長に影響を与えるためである。調整されるそれぞれの波長の安定性も重要であることが理解されよう。
【０００６】
したがって、信頼性があり且つ正確なグルコースモニタリングのための最適な波長値を生成し取得するための経済的な手段を提供する必要がある。
【０００７】
［発明の概要］
本発明の一態様によれば、波長の選択のための装置であって、複数の波長を提供する波長源と、波長源からの所望の波長の選択を可能にする波長選択器と、選択された波長を後に使用するために検出する波長検出器とを備える、波長の選択のための装置が提供される。
【０００８】
本発明の好ましい態様は添付の特許請求の範囲の従属請求項の主題によるものであり、これらは参照により本明細書に組み込まれる。
【０００９】
好ましくは、波長源は、各々が単一の波長を放出するように構成される複数のレーザダイオードをさらに備える波長源ディスクである。
【００１０】
さらに好ましくは、レーザダイオードは波長源ディスクの周縁に沿って位置決めされる。
【００１１】
第１の実施の形態では、波長源ディスクは回転可能である。
【００１２】
好ましくは、波長選択器は、開口をさらに備える選択ディスクであり、上記開口は、レーザダイオードからの波長が当該開口を通過することを可能にするようなサイズにされると共に、そのように位置決めされる。
【００１３】
第２の実施の形態では、選択ディスクは回転可能である。
【００１４】
好ましくは、波長検出器は検出ディスクであり、検出ディスクは少なくとも１つの波長検出器を有し、波長検出器は、前記ディスクの周縁に沿っており、波長源の選択された波長を検出するように位置決めされる。
【００１５】
さらに好ましくは、波長検出器は少なくとも１つの光ファイバヘッドである。
【００１６】
第１の動作モードにおいて、各レーザダイオードは対応する光ファイバヘッドと位置合わせされ、選択された波長を放出するレーザダイオードと同軸上に開口が位置合わせされるように、選択ディスクを回転させることによって、１つの波長が選択され、それによって、選択された波長が、対応する光ファイバヘッドによる検出のために開口を通過することが可能となる。
【００１７】
第２の動作モードにおいて、選択ディスクの開口は１つの光ファイバヘッドと位置合わせされ、選択された波長を放出するレーザダイオードが開口と同軸上に位置合わせされるように、波長源ディスクを回転させることによって、１つの波長が選択され、それによって、選択された波長が対応する光ファイバヘッドによる検出のために開口を通過することが可能となる。
【００１８】
好ましくは、第１の動作モードにおいて、選択ディスクは回転軸上に取り付けられる。
【００１９】
第１の好ましい実施の形態では、選択ディスクは軸の周りに手動で回転されて、波長が選択される。
【００２０】
好ましくは、回転軸は、波長が選択されると選択ディスクの回転された位置を維持するバイアス手段を備える。
【００２１】
第２の好ましい実施の形態では、回転は自動化されている。
【００２２】
好ましくは、選択器はステッパモータに結合され、当該ステッパモータは、選択ディスクを波長の選択のために適切な角度まで回転させるようにプログラムされる。
【００２３】
さらに好ましくは、モータは、次の角度まで回転させる前に所定の時間期間にわたって回転を中断させるためのタイマをさらに備える。
【００２４】
第２の動作モードにおいて、波長源ディスクは回転軸上に取り付けられる。
【００２５】
第３の好ましい実施の形態では、波長源ディスクは軸の周りに手動で回転されて、波長が選択される。
【００２６】
好ましくは、回転軸は、波長が選択されると波長源ディスクの回転された位置を維持するバイアス手段を備える。
【００２７】
第４の好ましい実施の形態では、回転は自動化されている。
【００２８】
好ましくは、波長源ディスクはステッパモータに結合され、当該ステッパモータは、波長源ディスクを波長の選択に関連する角度まで回転させるようにプログラムされる。
【００２９】
さらに好ましくは、モータは、次の角度まで回転させる前に所定の時間期間にわたって回転を中断させるためのタイマをさらに備える。
【００３０】
一実施の形態では、光ファイバヘッドは患者の診断領域に向けられ、その後、信号処理のために光ダイオードに向けられる。
【００３１】
本発明がより完全に理解され得るように、本発明の実施形態を、一例としてのみ、添付の図面を参照して説明する。
【００３２】
それぞれの実施形態において、単に本明細書の理解を容易にするために、同じ参照符号を類似の構成要素に対して使用している。
【００３３】
添付の図面は、必ずしも一定の縮尺では描かれていない。
【００３４】
［発明の詳細な説明］
ここで、本発明の好ましい実施形態に詳細に言及する。当該好ましい実施形態の例は添付の図面に示されている。本発明は、好ましい実施形態に関連して説明されるが、それらの好ましい実施形態は、本発明をそれらの実施形態に限定することを意図していない。そうではなく、本発明は、添付の特許請求の範囲によって規定される本発明の精神及び範囲内に含むことができる、代替物、変更及び均等物を包含するように意図されている。さらに、本発明の完全な理解を提供するために、本発明の以下の詳細な説明において、多数の特定の詳細が述べられる。しかしながら、本発明は、これらの特定の詳細がなくとも実施することができることは、当業者には明らかであろう。他の例においては、本発明の態様を不必要に不明瞭にしないために、周知の方法、手順、構成要素及び特徴については詳細に説明していない。
【００３５】
図１は、本発明の第１の実施形態による、選択される波長を提供するための装置１００を示す。
【００３６】
装置１００は、波長源１０と、波長選択器２０と、波長検出器３０とを備える。この装置の目的は、ユーザが多波長源から所望の波長を選択することを可能にすることである。この所望の波長は、以下の段落において説明されるように血糖モニタリングのために、患者の選択される診断領域に向けられる。
【００３７】
［波長源］
波長源ディスク１８の周縁に沿って又は周縁の近くに配置される複数のレーザダイオード又は発光ダイオード１１〜１７を有する波長源１０が示される。波長源ディスクは回転可能にすることができ、本発明の第２の動作モードにおいて説明される。各レーザダイオードは、上述したような、有用なグルコースピーク吸収波長のうちの単一の波長を放出するように構成されている。たとえば、レーザダイオード１１は、１２００ｎｍの最適な波長を伝送するように構成されており、他も同様である。レーザダイオードは、均一に離間しており、第１のレーザダイオードと次のレーザダイオードとの間の回転角は、所望の波長（すなわちチャネル）の数によって決まる。図１に見られるように、１２チャネルが使用され、したがって、１２個のレーザダイオードがそれぞれ、単一の最適な波長を放出する。この状況においては、第１のレーザダイオード１１と第２のレーザダイオード１２との間の回転角は３０度である。一方で、２４チャネルの装置が望ましい場合、レーザダイオードのそれぞれの間の回転角は１５度である。理解されるように、この装置が適合するチャネル数の可能性に制限はない。
【００３８】
［波長検出器］
波長検出器３０は、検出ディスク３８上の複数の光ファイバヘッド３１〜３７から成る。検出ディスク３８上の光ファイバヘッドの配置は、波長源ディスク１８上のレーザダイオードの配置と同一である。波長源と波長検出器との関係は、後に２つの動作モードにおいて説明する。
【００３９】
［選択器］
選択器２０は選択ディスク２１の形態である。選択ディスク２１は、回転可能にすることができ、波長源１０と波長検出器３０との間に位置決めされる。選択ディスク２１は開口２２を有する。当該開口２２は、対応する光ファイバヘッドにおける検出のために、レーザダイオードから選択されるビームが当該開口を通過することが可能となるようなサイズにされると共に、そのように位置決めされる。
【００４０】
［動作モード］
第１の動作モード
第１の動作モードにおいて、検出ディスク３８と波長源ディスク１８とは互いに関連し合って固定される。各光ファイバヘッドは特定のレーザダイオードと直線的に位置合わせされるように位置決めされる。図１に見られるように、レーザダイオード１１は光ファイバヘッド３１と位置合わせされ、レーザダイオード１２は光ファイバヘッド３２と位置合わせされ、他も同様である。波長源ディスク１８と検出ディスク３８とは互いに関連し合って固定されており、それによって、特定のレーザダイオードが常にその対応する光ファイバヘッドと位置合わせされるようになる。たとえばレーザダイオード１１は光ファイバヘッド３１によって検出される。したがって、理解されるように、１２チャネルの波長源が採用される場合、光ファイバヘッドは互いから３０度離れている。一方で、２４チャネルの波長源が必要とされる場合、レーザダイオードと光ファイバヘッドとは互いから１５度ずつ離間される。
【００４１】
したがって、特定の波長が望まれる場合、選択器２０は、開口２２が、選択される波長源と、対応する光ファイバヘッドとの間に同軸上に位置合わせされるまで回転される。１つの開口のみが選択器２０上に設けられる場合、それぞれの時点において１つの波長のみが当該開口を通過することが可能となることは理解されたい。他の全ての波長は、選択ディスク２１によって遮断されるため、対応する光ファイバヘッドによって検出されない。したがって、いずれの時点においても、１つの波長のみが検出のために開口を通過することが可能となる。
【００４２】
たとえば、図１に見られるように、第１の動作モードにおいて、波長源ディスク１８と検出ディスク３８とは互いに関連し合って固定されており、それによって、開口２２が回転軸２３を中心として、波長１２００ｎｍを伝送するレーザダイオード１１と位置合わせされるように回転されると、この波長が当該開口を通じて伝送され、光ファイバヘッド３１によって検出される。他の全ての波長は、選択器によって吸収されるため、開口を通じては伝送されない。したがって、選択器によって、ユーザが血糖モニタリングに使用するために所望の波長を「選択」することが可能となることが理解されよう。
【００４３】
一実施形態では、選択器の回転によって所望の波長が選択されると選択器の位置を維持するバイアス手段（図面には示さず）が設けられる。バイアス手段は開放可能なクリップの形態とすることができ、それによって、回転が必要な場合、クリップを開放することによって、回転可能な選択ディスク２１を回転軸２３を中心として回転させることができる。所望の回転が得られると、クリップをロックすることによって選択ディスクの位置が維持され、対応する光ファイバヘッドによって所望の波長が取得され検出される。
【００４４】
図２に見られるような別の実施形態では、選択器２０の回転は自動化されている。この実施形態では、選択器２０はステッパモータ４０に結合され、波長の選択のために適切なそれぞれの角度まで回転するようにプログラムされることができる。たとえば、１２個のレーザダイオード（すなわち、１２チャネル）が使用される場合、第１の波長から第２の波長を選択するのに３０度の回転が必要とされる。タイマをさらに設けることができ、それによって、次の角度まで回転させる（次の波長を選択する）前に、所定の時間期間にわたって回転を中断させることができる。この中断は、選択された各波長について得られた読取値に基づいてデータサンプリングを実施することがタイムラグによって可能となるため、有利である。
【００４５】
使用中、検出された波長は光ヘッドを通じて伝送される。光ファイバヘッドはファイバカプラを使用して結合され、患者の診断領域に向けられ、その後、信号プロセッサによる信号処理のために共通の光ダイオードに向けられる。
【００４６】
図３は、波長源１０と、選択器２０と、波長検出器３０とを示す、使用中の装置全体を示す。レーザダイオード（又は発光ダイオード）は共通の電源５０によって電力供給される。所望の波長、たとえば１２９０ｎｍが選択されると、この波長は次いでその対応する検出器、すなわち光ファイバヘッドによって検出される。光ファイバワイヤ３９からの光はファイバカプラを使用して結合され、それによって、指定されるモニタリングエリア６０に必要とされる波長を向けることができる。このエリアに患者の診断領域、たとえば指の爪を置くことができ、それによって、選択された波長が指の爪を貫通して、続いて信号プロセッサ６２による後の信号処理のために光ダイオード６１に向けられることができる。読取値が得られると、次いで選択器２０は信号処理のための次の所望の波長まで回転される。回転は手動で実施してもよく、又は上述したようにステッパモータを使用して自動化してもよい。
【００４７】
第２の動作モード
第２の動作モードにおいて、選択ディスク２１と検出ディスク３８とが互いに関連し合って固定される。この動作モードにおいて、図５に見られるように、波長源ディスク１８は軸２３を中心として回転される。この動作モードにおいて、波長検出器は、選択ディスク２１の開口２２と直線的に位置合わせされるように位置決めされる、１つの光ファイバヘッド３１のみを有することができる。
【００４８】
使用中、波長源ディスク１８は、第１のレーザダイオード１１が選択ディスク２１の開口２２と直線的に位置合わせされるまで回転される。この位置において、第１の波長を光ファイバヘッド３１によって検出することができる。次の位置にシフトするために、波長源ディスク１８は、第２のレーザダイオード１２が開口２２及び光ファイバヘッド３１と直線的に位置合わせされるまで回転される。波長源ディスク１８は手動で回転してもよく、又は上述したように自動化してもよい。この方法で、波長を複数の波長源から選択することもできる。
【００４９】
したがって、選択器によって、ユーザが血糖モニタリングに使用するために所望の波長を「選択」することが可能となることが理解されよう。
【００５０】
図４に見られるような選択器の別の実施形態では、開口は切欠き２４の形態にある。当該切欠き２４は、選択された波長が当該切欠き２４を通過することを可能にするような寸法にされる。
【００５１】
本発明の実施形態を、一例としてのみ提示してきたが、添付の特許請求項の範囲によって規定される本発明の範囲内で変更が可能である。
【図面の簡単な説明】
【００５２】
【図１】本発明の第１の動作モードによる、本発明の装置を示す図である。
【図２】本発明の第２の実施形態における選択器を示す図である。
【図３】血糖モニタリングの目的で使用する場合の装置を示す図である。
【図４】本発明の第３の実施形態における選択器を示す図である。
【図５】本発明の第２の動作モードによる、本発明の装置を示す図である。
【図１】
2009505152.tif 000003
【図２】
2009505152.tif 000004
【図３】
2009505152.tif 000005
【図４】
2009505152.tif 000006
【図５】
2009505152.tif 000007
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
波長の選択のための装置であって、
複数の波長を提供する波長源であって、前記波長源は、各々が単一の波長を放出するように構成される複数のレーザダイオードまたは発光ダイオードをさらに備える波長源ディスクである、波長源と、
前記波長源からの所望の波長の選択を可能にする波長選択器と、
選択された波長を後に使用するために検出する波長検出器と
を備える、波長の選択のための装置。
【請求項２】
前記レーザダイオードは前記波長源ディスクの周縁に沿って位置決めされる、請求項１に記載の波長の選択のための装置。
【請求項３】
前記波長源ディスクは回転可能である、請求項１〜２のうちのいずれか一項に記載の波長の選択のための装置。
【請求項４】
前記波長選択器は、開口をさらに備える選択ディスクであり、
前記開口は、前記レーザダイオードからの波長が前記開口を通過することを可能にするようなサイズにされると共に、そのように位置決めされる
請求項１〜３のいずれか一項に記載の波長の選択のための装置。
【請求項５】
前記選択ディスクは回転可能である、請求項１〜４のいずれか一項に記載の波長の選択のための装置。
【請求項６】
前記波長検出器は検出ディスクであり、
前記検出ディスクは、少なくとも１つの波長検出器を有し、
前記波長検出器は、前記ディスクの周縁に沿っており、前記波長源の選択された波長を検出するように位置決めされる
請求項１〜５のいずれか一項に記載の波長の選択のための装置。
【請求項７】
前記波長検出器は少なくとも１つの光ファイバヘッドである、請求項１〜６のいずれか一項に記載の波長の選択のための装置。
【請求項８】
第１の動作モードにおいて、
前記レーザダイオードのそれぞれは対応する光ファイバヘッドと位置合わせされ、
選択された波長を放出する前記レーザダイオードと同軸上に前記開口が位置合わせされるように、前記選択ディスクを回転させることによって、１つの波長が選択され、
それによって、前記選択された波長が前記対応する光ファイバヘッドによる検出のために前記開口を通過することが可能となる
請求項１〜７のいずれか一項に記載の波長の選択のための装置。
【請求項９】
第２の動作モードにおいて、
前記選択ディスクの前記開口は１つの光ファイバヘッドと位置合わせされ、
選択された波長を放出する前記レーザダイオードが前記開口と同軸上に位置合わせされるように、前記波長源ディスクを回転させることによって、１つの波長が選択され、
それによって、前記選択された波長が対応する前記光ファイバヘッドによる検出のために前記開口を通過することが可能となる、請求項１〜７のいずれか一項に記載の波長の選択のための装置。
【請求項１０】
前記選択ディスクは回転軸上に取り付けられる、請求項８に記載の波長の選択のための装置。
【請求項１１】
前記選択ディスクは前記軸を中心として手動で回転されて、１つの波長が選択される、請求項８又は１０に記載の波長の選択のための装置。
【請求項１２】
前記回転軸は、波長が選択されると前記選択ディスクの回転された位置を維持するバイアス手段を備える、請求項８、１０又は１１のいずれか一項に記載の波長の選択のための装置。
【請求項１３】
前記回転は自動化されている、請求項８又は１０に記載の波長の選択のための装置。
【請求項１４】
前記選択器はステッパモータに結合され、
前記ステッパモータは、前記選択ディスクを波長の選択に関連する角度まで回転させるようにプログラムされる
請求項８、１０又は１３のいずれか一項に記載の波長の選択のための装置。
【請求項１５】
前記モータは、次の角度まで回転させる前に所定の時間期間にわたって前記回転を中断させるためのタイマをさらに備える、請求項８、１０、１３又は１４のいずれか一項に記載の波長の選択のための装置。
【請求項１６】
前記波長源ディスクは回転軸上に取り付けられる、請求項９に記載の波長の選択のための装置。
【請求項１７】
前記波長源ディスクは前記軸の周りに手動で回転されて、１つの波長が選択される、請求項９又は１６に記載の波長の選択のための装置。
【請求項１８】
前記回転軸は、波長が選択されると前記波長源ディスクの回転された位置を維持するバイアス手段を備える、請求項９、１６又は１７のいずれか一項に記載の波長の選択のための装置。
【請求項１９】
前記回転は自動化されている、請求項９又は１６に記載の波長の選択のための装置。
【請求項２０】
前記波長源ディスクはステッパモータに結合され、前記ステッパモータは、前記波長源ディスクを波長の選択に関連する角度まで回転させるようにプログラムされる、請求項９、１６及び１９のいずれか一項に記載の波長の選択のための装置。
【請求項２１】
前記モータは、次の角度まで回転させる前に所定の時間期間にわたって前記回転を中断させるためのタイマをさらに備える、請求項９、１６、１９又は２０のいずれか一項に記載の波長の選択のための装置。
【請求項２２】
前記光ファイバヘッドは患者の診断領域に向けられ、その後、信号処理のために光ダイオードに向けられる、請求項１〜２１のいずれか一項に記載の波長の選択のための装置。
【手続補正２】
【補正対象書類名】図面
【補正対象項目名】全図
【補正方法】変更
【補正の内容】
【図１】
2009505152.tif 000008
【図２】
2009505152.tif 000009
【図３】
2009505152.tif 000010
【図４】
2009505152.tif 000011
【図５】
2009505152.tif 000012
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
波長の選択のための装置であって、
複数の波長を提供する波長源であって、前記波長源は、各々が単一の波長を放出するように構成される複数のレーザダイオードまたは発光ダイオードをさらに備える波長源ディスクである、波長源と、
前記波長源からの所望の波長の選択を可能にする波長選択器と、
選択された波長を後に使用するために検出する波長検出器と
を備える、波長の選択のための装置。
【請求項２】
前記レーザダイオードは前記波長源ディスクの周縁に沿って位置決めされる、請求項１に記載の波長の選択のための装置。
【請求項３】
前記波長源ディスクは回転可能である、請求項１〜２のうちのいずれか一項に記載の波長の選択のための装置。
【請求項４】
前記波長選択器は、開口をさらに備える選択ディスクであり、
前記開口は、前記レーザダイオードからの波長が前記開口を通過することを可能にするようなサイズにされると共に、そのように位置決めされる
請求項１〜３のいずれか一項に記載の波長の選択のための装置。
【請求項５】
前記選択ディスクは回転可能である、請求項４に記載の波長の選択のための装置。
【請求項６】
前記波長検出器は検出ディスクであり、
前記検出ディスクは、少なくとも１つの波長検出器を有し、
前記波長検出器は、前記ディスクの周縁に沿っており、前記波長源の選択された波長を検出するように位置決めされる
請求項１〜５のいずれか一項に記載の波長の選択のための装置。
【請求項７】
前記波長検出器は少なくとも１つの光ファイバヘッドである、請求項１〜６のいずれか一項に記載の波長の選択のための装置。
【請求項８】
第１の動作モードにおいて、
前記レーザダイオードのそれぞれは対応する光ファイバヘッドと位置合わせされ、
選択された波長を放出する前記レーザダイオードと同軸上に前記開口が位置合わせされるように、前記選択ディスクを回転させることによって、１つの波長が選択され、
それによって、前記選択された波長が前記対応する光ファイバヘッドによる検出のために前記開口を通過することが可能となる
請求項４〜７のいずれか一項に記載の波長の選択のための装置。
【請求項９】
第２の動作モードにおいて、
前記選択ディスクの前記開口は１つの光ファイバヘッドと位置合わせされ、
選択された波長を放出する前記レーザダイオードが前記開口と同軸上に位置合わせされるように、前記波長源ディスクを回転させることによって、１つの波長が選択され、
それによって、前記選択された波長が対応する前記光ファイバヘッドによる検出のために前記開口を通過することが可能となる、請求項４〜７のいずれか一項に記載の波長の選択のための装置。
【請求項１０】
前記選択ディスクは回転軸上に取り付けられる、請求項８に記載の波長の選択のための装置。
【請求項１１】
前記選択ディスクは前記軸を中心として手動で回転されて、１つの波長が選択される、請求項８又は１０に記載の波長の選択のための装置。
【請求項１２】
前記回転軸は、波長が選択されると前記選択ディスクの回転された位置を維持するバイアス手段を備える、請求項８、１０又は１１のいずれか一項に記載の波長の選択のための装置。
【請求項１３】
前記回転は自動化されている、請求項８又は１０に記載の波長の選択のための装置。
【請求項１４】
前記選択器はステッパモータに結合され、
前記ステッパモータは、前記選択ディスクを波長の選択に関連する角度まで回転させるようにプログラムされる
請求項８、１０又は１３のいずれか一項に記載の波長の選択のための装置。
【請求項１５】
前記モータは、次の角度まで回転させる前に所定の時間期間にわたって前記回転を中断させるためのタイマをさらに備える、請求項１４に記載の波長の選択のための装置。
【請求項１６】
前記波長源ディスクは回転軸上に取り付けられる、請求項９に記載の波長の選択のための装置。
【請求項１７】
前記波長源ディスクは前記軸の周りに手動で回転されて、１つの波長が選択される、請求項９又は１６に記載の波長の選択のための装置。
【請求項１８】
前記回転軸は、波長が選択されると前記波長源ディスクの回転された位置を維持するバイアス手段を備える、請求項９、１６又は１７のいずれか一項に記載の波長の選択のための装置。
【請求項１９】
前記回転は自動化されている、請求項９又は１６に記載の波長の選択のための装置。
【請求項２０】
前記波長源ディスクはステッパモータに結合され、前記ステッパモータは、前記波長源ディスクを波長の選択に関連する角度まで回転させるようにプログラムされる、請求項９、１６及び１９のいずれか一項に記載の波長の選択のための装置。
【請求項２１】
前記モータは、次の角度まで回転させる前に所定の時間期間にわたって前記回転を中断させるためのタイマをさらに備える、請求項２０に記載の波長の選択のための装置。
【請求項２２】
前記光ファイバヘッドは患者の診断領域に向けられ、その後、信号処理のために光ダイオードに向けられる、請求項７〜２１のいずれか一項に記載の波長の選択のための装置。
【国際調査報告】
2009505152.tif 000013
2009505152.tif 000014
2009505152.tif 000015